(57)【特許請求の範囲】
【請求項１】
復水器の各水室に連通する取水用循環水管および放水用循環水管との間に閉経路を形成するように、該循環水管にループ区間を有する連絡管を接続し、この連絡管による閉経路を流れる系内循環水を昇圧する循環ポンプおよび系内循環水を海棲生物の致死温度に加熱する加温器を前記連絡管のループ区間に設け、さらに前記連絡管による閉経路を流れる系内循環水を順方向および逆方向の２方向に切り換えて流す可逆式循環弁を前記連絡管の該ループ区間接続部に設けてなる海水冷却系統。
【請求項２】
前記可逆式循環弁が検出される前記放水用循環水管内の循環水温度および前記取水用循環水管内の循環水温度信号に基づいて該可逆式循環弁を切り換える指令を出力する制御装置を備えることを特徴とする請求項１記載の海水冷却系統。
【請求項３】
復水器の各水室に連通する取水用循環水管および放水用循環水管との間に閉経路を形成するように、該循環水管に温水循環弁を備えた連絡管を接続し、この連絡管による閉経路を流れる系内循環水を昇圧する循環ポンプおよび系内循環水を海棲生物の致死温度に加熱する加温器を前記連絡管に設け、さらに該加温器の下流側の該連絡管と前記放水用循環水管とを連絡するようにバイパス弁を備えたバイパス系統を接続してなる海水冷却系統。
【請求項４】
前記温水循環弁およびバイパス弁が検出される前記放水用循環水管内の循環水温度および前記取水用循環水管内の循環水温度信号に基づいて該温水循環弁およびバイパス弁を開閉する指令を出力する制御装置を備えることを特徴とする請求項３記載の海水冷却系統。
【請求項５】
復水器の各水室に連通する取水用循環水管および放水用循環水管との間に閉経路を形成するように、該循環水管にループ区間を有する連絡管を接続し、この連絡管による閉経路を流れる系内循環水を昇圧する循環ポンプおよび系内循環水を加熱する加温器を前記連絡管のループ区間に設け、さらに前記連絡管による閉経路を流れる系内循環水を順方向および逆方向の２方向に切り換えて流す可逆式循環弁を前記連絡管の該ループ区間接続部に設けてなる海水冷却系統の運転方法において、系内循環水を該取水用循環水管または放水用循環水管から前記連絡管の該循環ポンプに導いて昇圧すると共に、系内循環水を該加温器で海棲生物の致死温度に加熱し、得られた高温水を前記連絡管を通して該放水用循環水管または取水用循環水管に注入して付着している海棲生物を死滅させ、しかる後、前記可逆式循環弁を切り換えて高温の循環水を該放水用循環水管または取水用循環水管から該循環ポンプに導いて昇圧すると共に、該加温器で海棲生物の致死温度に加熱し、得られた高温水を前記連絡管を通して該取水用循環水管または放水用循環水管に注入して付着している海棲生物を死滅させるようにした海水冷却系統の運転方法。
【請求項６】
復水器の各水室に連通する取水用循環水管および放水用循環水管との間に閉経路を形成するように、該循環水管に温水循環弁を備えた連絡管を接続し、この連絡管による閉経路を流れる系内循環水を昇圧する循環ポンプおよび系内循環水を加熱する加温器を前記連絡管に設け、さらに該加温器の下流側の該連絡管と前記放水用循環水管とを連絡するようにバイパス弁を備えたバイパス系統を接続してなる海水冷却系統の運転方法において、前記連絡管の該取水用循環水管と通じる該温水循環弁を閉止したまま、前記バイパス系統のバイパス弁を開放して系内循環水を該放水用循環水管から前記連絡管の該循環ポンプに導いて昇圧すると共に、系内循環水を該加温器で海棲生物の致死温度に加熱し、得られた高温水を前記バイパス系統を通して該放水用循環水管に注入して付着している海棲生物を死滅させ、しかる後、該取水用循環水管と通じる該温水循環弁を開放すると共に、前記バイパス系統の該バイパス弁を閉止して高温の系内循環水を該放水用循環水管から前記連絡管の該循環ポンプに導いて昇圧すると共に、該加温器で海棲生物の致死温度に加熱し、得られた高温水を前記連絡管を通して該取水用循環水管に注入して付着している海棲生物を死滅させるようにした海水冷却系統の運転方法。
【発明の詳細な説明】
【０００１】
【発明の属する技術分野】
本発明は発電プラントの海水冷却系統およびその運転方法に係り、特に復水器および循環水管の内面に海棲生物が付着するのを防止するのに好適な海水冷却系統およびその運転方法に関する。
【０００２】
【従来の技術】
一般に、発電プラントにおいては蒸気タービンからの排気蒸気を凝縮させて復水を得るために復水器を使用している。復水器で蒸気を凝縮させるには多量の冷却水が必要であり、多くの場合、冷却水として海水が用いられている。この海水は、通常、海洋から循環水ポンプで汲み上げられ、取水用循環水管を通して復水器に導入される。ここで、海水は復水器内の伝熱管内を通過するときに伝熱管外を流れる蒸気から熱を奪い、その温度を下げることで凝縮させることになる。さらに、蒸気の熱を奪って温度上昇した海水は放水用循環水管を通して海洋に戻される。
【０００３】
このように復水器および循環水ポンプを有する海水冷却系統では、冷却水として海洋の海水を使用しているためにムラサキガイ等の海棲生物が復水器の伝熱管および水室内面ならびに循環水管内面に付着し、そこで成長して流路がしばしば閉塞に近い状態になる。このような状態になると、復水器の熱交換性能が低下し、また、流路の流動抵抗が増加することから、循環水ポンプの負荷はそれ以前と比べて大きく増大し、消費動力の増加によりプラント効率が著しく低下することになる。
【０００４】
ところで、海水冷却系統内の海棲生物の除去方法としては、従来から様々な方法が試みられている。代表的な方法はプラント停止時に人またはロボットが循環水管内に入って機械的に除去する方法、塩素を注入して海棲生物を死滅させる方法、淡水を海水と置換させて海棲生物を死滅させる方法、海水の加温または温水の注入によって海棲生物を死滅させる方法等である。
【０００５】
このうち、海水の加温または温水注入によって海棲生物を死滅させる方法は、たとえば、特開昭５５−１７０１６号、特開平３−１９５８９５号、特開平７−１９０６８４号公報等に詳細に開示されている。これらはいずれも海水冷却系統内の海水の温度を海棲生物の致死温度以上に保って幼貝などの付着生物を死滅させる方法である。
【０００６】
図７に従来技術の一例を示している。復水器１０１に取水用循環水管１０２および放水用循環水管１０３が復水器入口管および出口管１０４、１０５を介して接続されている。取水用循環水管１０２の経路には海水系入口弁１０６が設けられ、また放水用循環水管１０３には海水系出口弁１０７が設けられている。放水用循環水管１０３から取水用循環水管１０２にかけて連絡管１０８が接続され、この経路には温水循環ポンプ１０９および加温器１１０が設けられている。
【０００７】
また、同様に、放水用循環水管１０３から取水用循環水管１０２にかけて補助系統１１１が接続され、この経路には補助系循環ポンプ１１２が設けられている。連絡管１０８は他軸からの冷却水を導く入口管および冷却水を排出する出口管とそれぞれ接続されている。さらに、連絡管１０８および補助系統１１１は温水を循環させるときに開放される温水循環弁１１５、１１６および補助循環弁１１７、１１８を備えている。なお、図中符号１１９、１２０は入口水室、出口水室を示し、また、符号１２１は循環水ポンプを示している。
【０００８】
この系統はプラント停止時、海水系入口弁１０６および海水系出口弁１０７を閉止し、取水用および放水用循環水管１０２、１０３等に残存している海水を排出した後に、入口管を通して冷却水を導き、温水循環ポンプ１０９で昇圧し、加温器１１０において海棲生物を死滅させるのに十分な温度に加熱して海水冷却系統内に供給し、高温水で系統内を満たすことを主眼として運転するものである。
【０００９】
さらに、図８に従来技術の別の例を示している。復水器入口管１０４の経路内に電熱ヒータ１２０ａが設けられている。プラント停止時、電熱ヒータ１２０ａを用いて海水の温度を上昇させ、海水循環ポンプ１２１を運転して昇温した海水を循環させながら、海棲生物を死滅させるようにしたものである。
【００１０】
【発明が解決しようとする課題】
上述した従来技術において広い範囲に棲息する海棲生物を一度に死滅させるには海水冷却系統の、たとえば海水系入口弁１０６から海水系出口弁１０７に至る広い範囲を高温水で満たさなければならない。しかし、各循環水管１０２、１０３の口径は、通常、２ないし３メートルで、距離は数十メートルないし百数十メートルに達し、復水器１０１の水室１１９、１２０を含めてすべて高温水で満たそうとすると、膨大な量の高温水が必要となる。温水の昇温の目安は約５０°Ｃであるといわれており、低い水温からこの温度に冷却水を加熱するには大量の熱エネルギを投入しなければならない。
【００１１】
また、熱エネルギの投入が膨大であるだけでなく、昇温を果たすまでに無駄に費やす時間が長く、効率よく作業を進めることができない。たとえば、図９に示す温度分布にみられるように、加温器１１０を通過した直後の高温の循環水が流れる取水用循環水管１０２の注入点から復水器１０１にかけての海水冷却系統内は早い段階から温度が上昇するのに対し、復水器１０１の入口水室１１９および出口水室１２０を通って熱を奪われた循環水が流れる復水器１０１から放水用循環水管１０３の抽出点にかけての海水冷却系統内はなかなか温度が上昇せず、全体の温度上昇を待つために作業がはかばかしく進まない。
【００１２】
さらに、作業後に温められた冷却水を放水するには取水する海洋の水温に見合う温度近くに下げることが求められるが、冷却水がこの温度に降下するまでには時間を掛けねばならず、作業時間が長引く欠点がある。
【００１３】
そこで、本発明の目的は昇温のための熱エネルギをより少なく保ちながら、速やかに系内循環水の昇温を果たし、また短時間のうちに放水可能な温度に下げることのできる海水冷却系統およびその運転方法を提供することにある。
【００１４】
【課題を解決するための手段】
上記目的を達成するために請求項１に係る発明は復水器の各水室に連通する取水用循環水管および放水用循環水管との間に閉経路を形成するように、循環水管にループ区間を有する連絡管を接続し、この連絡管による閉経路を流れる系内循環水を昇圧する循環ポンプおよび系内循環水を海棲生物の致死温度に加熱する加温器を連絡管のループ区間に設け、さらに連絡管による閉経路を流れる系内循環水を順方向および逆方向の２方向に切り換えて流す可逆式循環弁を連絡管のループ区間接続部に設けるようにしたものである。
【００１５】
上記構成からなる海水冷却系統においては対象となる区間を限定することにより昇温のための熱エネルギをより少なく保ちながら、系内循環水の昇温を速やかに果たすことができる。
【００１６】
また、系内循環水の保有する熱エネルギがより少なくなることにより循環水を短時間のうちに放水可能な温度に下げることができる。
【００１７】
また、請求項２に係る発明は可逆式循環弁が検出される放水用循環水管内の循環水温度および取水用循環水管内の循環水温度信号に基づいて可逆式循環弁を切り換える指令を出力する制御装置を備えることを特徴とするものである。
【００１８】
上記構成からなる海水冷却系統においては循環水管内の循環水温度に基づいて可逆式循環弁を自動的に切り換えることができ、温度監視が不要になるなど、切り換え操作の伴う労力を軽減することが可能になる。
【００１９】
さらに、請求項３に係る発明は復水器の各水室に連通する取水用循環水管および放水用循環水管との間に閉経路を形成するように、循環水管に温水循環弁を備えた連絡管を接続し、この連絡管による閉経路を流れる系内循環水を昇圧する循環ポンプおよび系内循環水を海棲生物の致死温度に加熱する加温器を連絡管に設け、さらに加温器の下流側の連絡管と放水用循環水管とを連絡するようにバイパス弁を備えたバイパス系統を接続するものである。
【００２０】
上記構成からなる海水冷却系統においては対象となる区間を限定することにより昇温のための熱エネルギをより少なく保ちながら、系内循環水の昇温を速やかに果たすことができる。
【００２１】
また、系内循環水の保有する熱エネルギがより少なくなることにより循環水を短時間のうちに放水可能な温度に下げることができる。
【００２２】
また、請求項４に係る発明は温水循環弁およびバイパス弁が検出される放水用循環水管内の循環水温度および取水用循環水管内の循環水温度信号に基づいて温水循環弁およびバイパス弁を開閉する指令を出力する制御装置を備えることを特徴とするものである。
【００２３】
上記構成からなる海水冷却系統においては循環水管内の循環水温度に基づいて温水循環弁およびバイパス弁を自動的に切り換えることができ、温度監視が不要になるなど、切り換え操作に伴う労力を軽減することが可能になる。
【００２４】
さらに、請求項５に係る発明は系内循環水を取水用循環水管または放水用循環水管から連絡管の循環ポンプに導いて昇圧すると共に、系内循環水を加温器で海棲生物の致死温度に加熱し、得られた高温水を連絡管を通して放水用循環水管または取水用循環水管に注入して付着している海棲生物を死滅させ、しかる後、可逆式循環弁を切り換えて高温の循環水を放水用循環水管または取水用循環水管から循環ポンプに導いて昇圧すると共に、加温器で海棲生物の致死温度に加熱し、得られた高温水を連絡管を通して取水用循環水管または放水用循環水管に注入して付着している海棲生物を死滅させる、各段階からなるものである。
【００２５】
このような運転方法によれば、対象となる区間を放水用循環水管から復水器にかけての区間または取水用循環水管から復水器にかけての区間に限定することにより昇温の熱エネルギをより少なく保ちながら、系内循環水の昇温を速やかに果たすことができる。
【００２６】
また、系内循環水の保有する熱エネルギがより少なくなることにより循環水を短時間のうちに放水可能な温度に下げることが可能になる。
【００２７】
さらに、請求項６に係る発明は連絡管の取水用循環水管と通じる温水循環弁を閉止したまま、バイパス系統のバイパス弁を開放して系内循環水を放水用循環水管から連絡管の循環ポンプに導いて昇圧すると共に、系内循環水を加温器で海棲生物の致死温度に加熱し、得られた高温水をバイパス系統を通して放水用循環水管に注入して付着している海棲生物を死滅させ、しかる後、取水用循環水管と通じる温水循環弁を開放すると共に、バイパス系統の該バイパス弁を閉止して高温の系内循環水を放水用循環水管から連絡管の循環ポンプに導いて昇圧すると共に、加温器で海棲生物の致死温度に加熱し、得られた高温水を連絡管を通して取水用循環水管に注入して付着している海棲生物を死滅させる、各段階からなるものである。
【００２８】
このような運転方法によれば、対象となる区間を放水用循環水管から復水器にかけての区間に限定することにより昇温のための熱エネルギをより保ちながら、系内循環水の昇温を速やかに果たすことができる。また、系内循環水の保有する熱エネルギがより少なくなることにより循環水を短時間のうちに放水可能な温度に下げることが可能になる。
【００２９】
【発明の実施の形態】
以下、本発明の実施の形態を図面を参照して説明する。図１および図２において、各循環水管の間に閉経路を形成するために連絡管１１が取水用循環水管１０２から放水用循環水管１０３にかけて接続されている。この連絡管１１は主流である循環水を取り入れ、昇温した後に再び主流として連絡管１１に戻すためのループ区間１２を備えている。ループ区間１２には温水循環ポンプ１０９および加温器１１０が設けられている。
【００３０】
また、連絡管１１のループ区間１２との接続部に循環水を２方向に切り換えて流す可逆式循環弁１３が設けられている。この可逆式循環弁１３の弁体の切り換えにより、循環水の図２に示す方向への供給ではループ区間１２の加温器１１０で加熱された循環水が可逆式循環弁１３から連絡管１１を通って取水用循環水管１０２に流動し、図１に示す方向への供給では加温器１１０で加熱された循環水が可逆式循環弁１３から連絡管１１を通って放水用循環水管１０３に流動する。
【００３１】
上記構成において、プラント停止時、海水冷却系統への海棲生物の付着を防ぐにあたり、海水系入口弁１０６および出口弁１０７を閉止する。このとき、海水冷却系統内には冷却水である海水が残留した状態になっている。この海水が系内を流動する循環水となる。この状態から温水循環弁１１５、１１６を開き、温水循環ポンプ１０９を始動し、循環水を連絡管１１からループ区間１２にかけて流動させる。このとき、循環水はループ区間１２の加温器１１０を通過する間に加熱されて温度が上昇する。
【００３２】
温度上昇した循環水は連絡管１１から放水用循環水管１０３を通り、復水器出口管１０５を経て復水器１０１に達する。さらに、復水器１０１から復水器入口管１０４を通り、取水用循環水管１０２に流動する。さらに、連絡管１１から可逆式循環弁１３を通ってループ区間１２に入り、温水循環ポンプ１０９によって昇圧され、加温器１１０を通過して再度加熱される。加熱により温度上昇した循環水は再び海水冷却系統内を流動する。この循環の繰り返しにより循環水の温度は次第に海棲生物を死滅させる温度（約５０°Ｃ）へと上昇する。
【００３３】
この温度上昇の過程で図に示す放水用循環水管１０３の注入点Ａと、取水用循環水管１０２の抽出点Ｂとの間の海水冷却系統内の循環水に温度差が生じる。注入点Ａに近い放水用循環水管１０３内の循環水が目標温度である５０°Ｃに達したとき、取水用循環水管１０２内の循環水温度がどのようであれ、注入点Ａへの高温水の供給を停止すべく可逆式循環弁１３を切り換えて循環水を逆方向に流動させる。
【００３４】
この操作により図２に示すように、循環水は放水用循環水管１０３から連絡管１１を通って可逆式循環弁１３に流れ、ループ区間１２の温水循環ポンプ１０９によって昇圧され、加温器１１０を通過して加熱され、連絡管１１を通って取水用循環水管１０２に流動する。循環水は、さらに、取水用循環水管１０２から復水器入口管１０４を経て復水器１０１の各水室１１９、１２０を通り、復水器出口管１０５を経て放水用循環水管１０３に流動する。この循環水は連絡管１１からループ区間１２に流れ、温水循環ポンプ１０９によって昇圧され、加温器１１０を通過して再度加熱される。
【００３５】
この逆方向への循環の繰り返しにより取水用循環水管１０２内を流れる循環水温度が海棲生物の致死温度まで上昇する。この過程において図に示す取水用循環水管１０２の注入点Ａと、放水用循環水管１０３の抽出点Ｂとの間の海水冷却系統内の循環水に温度差が生じるが、その差は極めて僅かである。一定時間が経過したときの温度分布を図３に示している。注入点Ａの温度は高温水の注入により５０°Ｃに達している。一方、抽出点Ｂの温度は先の循環水の循環において一度温められた後であるために約４５°Ｃを保っている。
【００３６】
このように海水冷却系統の広い範囲に及ぶ海棲生物の付着領域に高温の循環水を供給するのに注入点を切り換え、区間を限定して高温水を注入することで、漫然と全体的に温度を上昇させるやり方と比べて効率よく作業を進めることが可能になる。
【００３７】
また、より温度の高い循環水が加温器１１０に導かれるので、加温器１１０において少ない熱エネルギの投入で循環水の温度を所望の温度に高めることができる。
【００３８】
さらに、より少ない熱エネルギの投入により昇温を果たすことができ、全体的に温度を高める方法と比べて短時間のうちに取水する海洋の水温に見合う低い温度まで下げることができる。
【００３９】
なお、運転方法は上述した手順に代えて、先に取水用循環水管１０２に対して循環水を導き、その後、可逆式循環弁１３を切り換えて放水用循環水管１０３に導くようにしてもよい。
【００４０】
また、一度にすべての海水冷却系統を対象としないで、循環水管１０２、１０３の一方のみに限定して行い、双方の系統で実施時期を変えて行うことも可能である。
【００４１】
このように本実施の形態によれば、対象となる区間を限定することにより昇温のための熱エネルギをより少なく保ちながら、系内循環水の昇温を速やかに果たすことができる。また、系内循環水の保有する熱エネルギ量がより少なくなることにより循環水を短時間のうちに放水可能な温度に下げることができる。
【００４２】
さらに、本発明の他の実施の形態を説明する。図４において、放水用循環水管１０３から取水用循環水管１０２にかけて連絡管１０８が接続されている。この連絡管１０８の経路には温水循環ポンプ１０９および加温器１１０が設けられる。さらに、復水器１０１をバイパスして加温器１１０の下流側の連絡管１０８と放水用循環水管１０３とを直接結ぶバイパス管１４が設けられている。このバイパス管１４の経路にはバイパス弁１５が介装されている。
【００４３】
上記構成において、プラント停止時、海水冷却系統への海棲生物の付着を防ぐにあたり、海水系入口弁１０６および出口弁１０７を閉止する。さらに、温水循環弁１１６を閉止したまま、温水循環弁１１５およびバイパス弁１５を開放し、温水循環ポンプ１０９を始動して循環水を連絡管１０８からバイパス管１４にかけて流動させる。
【００４４】
このとき、循環水は加温器１１０を通過する間に加熱されて温度が上昇する。温度上昇した循環水は放水用循環水管１０３を通り、連絡管１０８に流入し、温水循環ポンプ１０９によって昇圧され、加熱器１１０を通過して再度加熱される。温度上昇した循環水は再び概略半分の海水冷却系統内を流動する。この循環の繰り返しにより循環水の温度は速やかに海棲生物の致死温度へと上昇する。放水用循環水管１０３内の循環水温度が５０°Ｃに達したとき、一方の循環水管のみに限定していた海棲生物の付着防止のための運転を停止し、他方の循環水管のための運転に切り換える。
【００４５】
このための操作として、温水循環弁１１６を開放し、バイパス弁１５を閉止する。加温器１１０を通過して温度上昇した循環水は連絡管１０８から取水用循環水管１０２、復水器入口管１０４、復水器１０１を通過して復水器出口管１０５に流れ、さらに放水用循環水管１０３および連絡管１０８を通って温水循環ポンプ１０９によって昇圧され、加熱器１１０を通過して再度加熱される。この循環の繰り返しにより取水用循環水管１０２内を流れる循環水の温度が海棲生物を死滅させる温度に上昇する。
【００４６】
本実施の形態においても、広い範囲に及ぶ海棲生物の付着領域に高温の循環水を供給するのに初めに狭い区間、次により広い範囲へと段階的に切り換え、限定して高温水を注入するので、漫然と全体的に温度を上昇させるやり方と比べて効率よく作業を進めることができる。
【００４７】
また、より温度の高い循環水が加温器１１０に導びかれるので、加熱器１１０において少ない熱エネルギの投入で循環水を所望の温度に高めることが可能になる。
【００４８】
さらに、少量の熱エネルギの投入により必要とする昇温を果たすことができ、循環水の保有する熱エネルギの量が小さくなり、短時間のうちに取水する海洋の水温に見合う低い温度まで下げることができる。
【００４９】
なお、運転方法は一度にすべての海水冷却系統を対象としないで、循環水管の一方に限定して時期を変えて実施してもよい。
【００５０】
このように本実施の形態によれば、対象となる区間を限定することにより昇温のための熱エネルギをより少なく保ちながら、系内循環水の昇温を速やかに果たすことができる。また、系内循環水の保有する熱エネルギ量がより少なくなることにより循環水を短時間のうちに放水可能な温度に下げることができる。
【００５１】
さらに、本発明の他の実施の形態を説明する。図５において、海水冷却系統は上記実施の形態（図１参照）と同様に構成されている。この海水冷却系統の可逆式循環弁１３には制御装置１６が設けられている。制御装置１６は復水器出口管１０５内の循環水温度を検出する温度検出器１７を備えている。また、制御装置１６は復水器入口管１０４内の循環水温度を検出する温度検出器１８を備えている。温度検出器１７、１８で検出した温度信号は制御装置１６に入力されるようになっている。
【００５２】
上記構成からなる海水冷却系統の働きは制御装置１６により適切なタイミングで可逆式循環弁１３の弁体を動作させる点を除き、上記実施の形態のものと同一である。制御装置１６には放水用循環水管１０３および取水用循環水管１０２に導かれる循環水の温度に基づいて可逆式循環弁１３の弁体を動作させるための温度設定値が与えられる。運転中、放水用循環水管１０３と連通する復水器出口管１０５内の循環水の温度を検出している温度検出器１７からの温度信号がこの設定値を超えたとき、制御装置１６からの指令が可逆式循環弁１３に出力され、このとき、弁体は逆方向に循環水を送るようにポジションを変える。
【００５３】
一方、運転中、取水用循環水管１０２と連通する復水器入口管１０４内の循環水の温度を検出している温度検出器１８からの温度信号が上記温度設定値を超えたとき、制御装置１６からの指令が可逆式循環弁１３に出力され、このとき弁体は順方向に循環水を供給するようにポジションを変える。
【００５４】
これにより高温水の注入を放水用循環水管１０３から始めて取水用循環水管１０２へ切り換える方法、あるいは取水用循環水管１０２から始めて放水用循環水管１０３へ切り換える方法のどちらを用いる場合も、切り換え操作を自動的に行うことが可能になる。
【００５５】
本実施の形態によれば、可逆式循環弁１３を用いて循環水の流動方向を切り換えるとき、循環水管１０２、１０３内の循環水温度に基づいて自動的に切り換えることが可能で、温度監視が不要になるなど、切り換え操作に伴う労力を軽減することができる。
【００５６】
さらに、本発明の他の実施の形態を説明する。図６において、海水冷却系統は上記実施の形態（図４参照）と同様に構成されている。この海水冷却系統の温水循環弁１１５、１１６およびバイパス弁１５には制御装置１９が設けられている。制御装置１９は復水器出口管１０５内の循環水温度を検出する温度検出器１７、復水器入口管１０４内の循環水温度を検出する温度検出器１８および放水用循環水管１０３内の循環水温度を検出する温度検出器２０を備え、それぞれ検出温度信号が入力されるようになっている。
【００５７】
上記構成からなる海水冷却系統の働きは制御装置１９により適切なタイミングで温水循環弁１１５、１１６およびバイパス弁１５を開閉させる点を除き上記実施の形態のものと同一である。制御装置１９には放水用循環水管１０３および取水用循環水管１０２に導かれる循環水の温度に基づいて温水循環弁１１５、１１６およびバイパス弁１５を開閉させるための温度設定値が与えられる。
【００５８】
運転中、放水用循環水管１０３と連通する復水器出口管１０５および放水用循環水管１０３内の循環水温度を検出している温度検出器１７、２０からの温度信号がこの設定値を超えたとき、制御装置１９からの指令が温水循環弁１１５、１１６およびバイパス弁１５に出力され、このとき、温水循環弁１１５は開放したまま、温水循環弁１１６が開き、バイパス弁１５が閉じる。
【００５９】
一方、運転中、取水用循環水管１０２と連通する復水器入口管１０４内の循環水の温度を検出している温度検出器１８からの温度信号が上記温度設定値を超えたとき、制御装置１９からの指令が温水循環弁１１５、１１６およびバイパス弁１５に出力され、このとき、温水循環弁１１５は開放したまま、温水循環弁１１６が閉じ、バイパス弁１５が開く。
【００６０】
これにより高温水の注入を放水用循環水管１０３から始めて取水用循環水管１０２へ切り換える方法、あるいは取水用循環水管１０２から始めて放水用循環水管１０３に切り換える方法のどちらを用いる場合も、切り換え操作を自動的に行うことが可能になる。
【００６１】
本実施の形態によれば、温水循環弁１１５、１１６およびバイパス弁１５を用いて各循環水管１０２、１０３の間で高温水の注入対象を変えるとき、循環水管１０２、１０３内の循環水温度に基づいて自動的に切り換えることが可能で、温度監視が不要になるなど、切り換え操作に伴う労力を軽減することができる。
【００６２】
【発明の効果】
以上説明したように本発明によれば、付着している海棲生物を死滅させるべく高温水を導く区間を限定することにより昇温のための熱エネルギをより少なく保ちながら、系内循環水の昇温を速やかに果たすことができる。
【００６３】
また、系内循環水の保有する熱エネルギがより少なくなることにより循環水を短時間のうちに放水可能な温度に下げることができる。
【図面の簡単な説明】
【図１】本発明による海水冷却系統の実施の形態を示す系統図。
【図２】図１に示される可逆式循環弁の操作で循環水の流動方向が変わる様子を示す動作説明図。
【図３】本発明による高温水注入に伴う循環水管内の温度分布を示すグラフ。
【図４】本発明の他の実施の形態を示す系統図。
【図５】本発明の他の実施の形態を示す系統図。
【図６】本発明の他の実施の形態を示す系統図。
【図７】従来の海水冷却系統の一例を示す系統図。
【図８】従来の海水冷却系統の他の例を示す系統図。
【図９】従来の高温水の注入に伴う循環水管内の温度分布を示すグラフ。
【符号の説明】
１１、１０８  連絡管
１２  ループ区間
１３  可逆式循環弁
１５  バイパス弁
１６、１９  制御装置
１０１  復水器
１０２  取水用循環水管
１０３  放水用循環水管
１０９  温水循環ポンプ
１１０  加温器
【図１】
0003712542.tif 000002
【図２】
0003712542.tif 000003
【図３】
0003712542.tif 000004
【図４】
0003712542.tif 000005
【図５】
0003712542.tif 000006
【図６】
0003712542.tif 000007
【図７】
0003712542.tif 000008
【図８】
0003712542.tif 000009
【図９】
0003712542.tif 000010